(57)【要約】【課題】  無線機の間でフレームデータを無線受信する無線通信システムにおいて、無線通信状況に応じて変調方式を切替えることにより効率的な無線伝送を実現する。【解決手段】  共に固定設置された基地局無線機１と端末局無線機２との間でフレームデータを送受信するシステムにおいて、送信側無線機では、伝送路推定部１９が、受信信号の受信レベルに基づいてテーブルを参照して無線通信状況を判定し、当該無線通信状況に応じた変調方式に切替える通知を無線フレーム符号化部１１及び変調部１２に通知し、変調部には所定の遅延をもって変調方式を切替えさせるとともに、無線フレーム符号化部１１には切替える方式を示す情報を送信フレームに含ませる。受信側無線機では、受信フレームから変調方式の切替え通知を受領し、復調部１７が対応する復調方式に切替えてフレーム同期を取って受信フレームの復調処理を行う。【選択図】  図１
2005198123.tif 000002
【特許請求の範囲】
【請求項１】
送信側無線機がフレーム単位のデータを変調して送信し、受信側無線機が当該データを無線受信して復調する無線通信システムにおいて、
送信側無線機は、受信信号に基づいて無線通信状況を判定する判定手段と、判定した無線通信状況に応じて変調方式を切替える方式切替え手段と、切替える変調方式を示す情報を当該切替えた方式で変調するフレームより前のフレームに含ませて受信側無線機に送信する通知手段と、を備えたことを特徴とする無線通信システム。
【請求項２】
固定的に設置される端末局と基地局との間でフレーム単位のデータを無線送受信するＦＷＡ無線通信システムにおいて、
基地局又は端末局を構成する無線機は、受信信号に基づいて無線通信状況を判定する判定手段と、判定した無線通信状況に応じて変調方式を切替える方式切替え手段と、切替える変調方式を示す情報を当該切替えた方式で変調するフレームより前のフレームに含ませて通信相手となる端末局又は基地局を構成する無線機に送信する通知手段と、を備えたことを特徴とするＦＷＡ無線通信システム。
【発明の詳細な説明】
【技術分野】
【０００１】
本発明は、無線機間でフレーム単位のデータを無線通信する無線システムに関し、特に、無線通信の状況に応じて変調方式を可変とする無線通信システムに関する。
【背景技術】
【０００２】
無線通信技術の発展により、音声や画像等の各種メディアのデータを無線機間で通信する無線通信システムが広く実用に供されている。
無線通信システムの内で、データをフレーム単位で通信し、無線機間（無線区間）の伝送速度が可変である無線通信システムの一例として、電子電気技術者協会規格（IEEE802.11a）で規定される無線ＬＡＮが知られている。当該規格の無線ＬＡＮシステムでは、アクセスポイント（ＡＰ）とステーション（ＳＴＡ）との間や、複数のステーション（ＳＴＡ）間で無線パケットが送受信される。
【０００３】
図８には、IEEE802.11a規格の無線区問フォーマットを示してある。
同図において、PLCP Preamble部（プリアンブル部）は受信側の無線機が同期を取るためのビツト列である。SIGNAL部（シグナル部）は常に６Mbit/sの固定レートで送信される。SIGNAL部のRATEフィールドはDATA部（データ部）の伝送レート（伝送速度）を示している。
無線ＬＡＮシステムの受信側無線機は、受信信号について、プリアンブル部で同期を取った後、６Mbit/sの変調方式に対応する復調を行い、復調したSIG NAL部のRATEフィールドを読んで、続くDATA部の伝送速度を判定して復調方式を切替えている。ここで、DATA部は、初回の送信ではシステムに予め設定されている伝送速度で変調されて送信される。
そして、送信側無線機は、受信側からＡＣＫ応答（肯定応答）を受信しない場合には、伝送速度を低速に切替えて変調し送信しており、これによって、受信側の応答に応じて伝送速度を可変としている。
【０００４】
また、無線通信システムにおいて伝送速度を可変にする方法としては、受信側無線機が受信信号のデータ誤りや受信レベルを検出して送信側無線機に通知し、送信側無線機が当該通知に基づいてその後に送信する信号の伝送速度を変更する技術が知られている（特許文献１参照。）。
【０００５】
ここで、近年、無線帯域の利用拡大等の一環として、準ミリ波やミリ波帯（２２ＧＨｚ、２６ＧＨｚ、３８ＧＨｚ）を利用して、電気通信事業者により固定無線アクセスシステム（ＦＷＡ：Fixed Wire1ess Access System）のサービスが提供されており、インターネットアクセス等の手段としてその導入が進んでいる。
ＦＷＡのカバーエリア半径は数Ｋｍ程度であるが、準ミリ波やミリ波帯では降雨による減衰量が大きいため、数十ｄＢの回線マージンが必要となる。
この課題に対して、降雨減衰による無線伝搬路変動に適応して、変調方式を切替えることにより、比較的小さい送信電力で長距離伝送が可能となるようＦＷＡへの適応変調の適用が検討されている。すなわち、晴天時は伝送速度が高速な変調方式で通信を行ない、降雨時は伝送速度が低速な変調方式に切替えて通信を行なうことにより、より少ない回線マージンでＦＷＡによる良好な無線通信を実現する方式が検討されている。
【特許文献１】特開２００３―５１７８１号公報
【発明の開示】
【発明が解決しようとする課題】
【０００６】
上記のように従来の無線通信システムでは、伝送速度を変更しようとする場合は、送信側無線機が、先ず所定の伝送速度で信号を送信し、これを受信する受信側無線機からの確認応答の有無あるいはデータ誤りや受信レベルの通知を受信し、これら受信側無線機から受信した情報に基づいてその後に送信するデータの伝送速度を変更するようにしている。
このように従来にあっては、受信側へ送信した信号の無線通信状況に基づいて事後的に送信データの伝送速度を変更するため、誤り発生率や再送処理数が増大して効率的な無線伝送が実現されているとは言えなかった。
特に、ＦＷＡに上記のような適応変調を適用する場合には、複数の変調方式でデータが送信されるため、受信側無線機で受信信号の変調方式が判らないと受信データの復調ができないばかりか、次のような特有の課題がある。
【０００７】
受信側無線機に変調方式を通知する方法としては、IEEE802.11a規格のように、各無線パケツトの先頭での変調方式を固定し、その部分でデータ部の変調方式を指定する方法がある。当該規格で規定される無線ＬＡＮは半固定通信やアドホック通信を前提としており、無線区間のアクセス方式はＣＳＭＡ／ＣＡ（Carrier Sense Mu1tip1e Access/Collision Avoidance）である。ＣＳＭＡ／ＣＡでは、送信側無線機は一定時間の無信号を検出した後、無線パケットを送信するため、パケットの先頭が判別し易い反面、一定時間の無信号区間が必要となっている。また、無線ＬＡＮの使用環境は屋内を想定しており、無線伝搬路環境の変動が予測しにくいため、パケット毎に送信が失敗したらその都度低速の伝送速度に切替えて再送する方式をとっている。
【０００８】
これに対して、準ミリ波やミリ波帯のＦＷＡは固定通信であるため、無線機間でのアクセス方式はＦＤＤ（Frequency Division Dup1ex）やＴＤＤ（Time Division Dup1ex）が適用可能であり、ＦＤＤやＴＤＤでは無線送信単位（フレームパケット）間の無信号区間は不要である。また、ＦＷＡは基本的に見通し内の固定局間の無線通信であり、長時間にわたって安定した伝搬路状況が期待できるため、短時間での変調方式の切替は不要である。このような特徴があるにもかかわらず、ＦＷＡに適応変調を適用する場合にIEEE 802.11aのような方式を適用すると伝送効率が極めて悪くなるという課題がある。
【０００９】
本発明は、上記従来の事情に鑑みなされたものであり、送信側無線機がフレーム単位のデータを変調して送信し、受信側無線機が当該データを無線受信して復調する無線通信システムにおいて、効率的な無線伝送を実現することを目的としている。
そして、本発明は、特に、伝送効率の低下を回避してＦＷＡへの適応変調の適用を実現することを目的としている。
【課題を解決するための手段】
【００１０】
本発明は、送信側無線機がフレーム単位のデータを変調して送信し、受信側無線機が当該データを無線受信して復調する無線通信システムであって、送信側無線機が、受信信号に基づいて無線通信状況を判定する判定手段と、判定した無線通信状況に応じて変調方式を切替える方式切替え手段と、切替える変調方式を示す情報を当該切替えた方式で変調するフレームより前のフレームに含ませて受信側無線機に送信する通知手段と、を備えたことを特徴としており、これによって、受信側無線機は、送信側無線機が自己判定に基づいて切替える変調方式を事前に知って、対応する方式で受信データの復調処理を行うことができる。
【００１１】
また、本発明は、固定的に設置される端末局と基地局との間でフレーム単位のデータを無線送受信するＦＷＡ無線通信システムであって、基地局又は端末局を構成する無線機は、受信信号に基づいて無線通信状況を判定する判定手段と、判定した無線通信状況に応じて変調方式を切替える方式切替え手段と、切替える変調方式を示す情報を当該切替えた方式で変調するフレームより前のフレームに含ませて通信相手となる端末局又は基地局を構成する無線機に送信する通知手段と、を備えたことを特徴としており、これによって、受信側となる端末局又は基地局を構成する無線機は、送信側の無線機が自己判定に基づいて切替える変調方式を事前に知って、対応する方式で受信データの復調処理を行うことができる。
【００１２】
より具体的には、本発明では、例えば、送信側記無線機は所定の変調方式で通信を開始し、その後、伝搬路推定手段（判定手段）が推定する伝搬路品質に対応した変調方式に切替えて通信を行う。ここで、送信側無線機はその方式切替え手段で変調方式を切替える場合、通知手段が切替える変調方式を示す情報を変調方式を切替えるフレームより前に送信されるフレームに含ませて対応する受信側無線機に通知し、これによって、変調方式の事前通知を行う。
したがって、通信開始時は無線機間で予め決められた変調方式で通信を開始するので、無線機間で変調方式を通知しなくても容易に同期引き込みを行うことができる。そして、無線機間の同期確立後は、無線伝搬路状況に対応した変調方式に切替えるので、無線機は伝搬路状況に適した伝送速度で通信することができる。
【００１３】
更に、ＦＷＡでは長時間にわたって安定した無線伝搬路状況が期待できるため、変調方式の変更を対応する受信側無線機に通知する場合、方式変更するフレームの送信に先立つ直前の送信フレームで通知を行えば十分であるので、無線機においては高速な切替処理が不要になり、経済的な無線通信システムを実現できる。また、帯域変化に対応する処理を実行する時間的な余裕も生まれるため、無線通信システムにおけるルーティング経路やＱｏＳ（Quality of Service）制御なども無線区問帯域の変化に間に合うように切替でき、パケットロス回避にも有効である。
【発明の効果】
【００１４】
本発明によると、送信側無線機による無線通信状況の自己判定に基づいて変調方式の切替えを行い、そして、当該方式切替えを事前に受信側無線機に通知するようにしたため、無線通信状況に応じた適切な方式で変復調を行う伝送効率の良好な適応変調方式の無線通信システムを実現することができる。
【発明を実施するための最良の形態】
【００１５】
本発明を一実施形態の基づいて具体的に説明する。
本実施形態は図２に示すようなＦＷＡ無線通信システムに本発明を適用した例である。このＦＷＡ無線通信システムでは、固定設置されている基地局１の無線通信サービスエリアに複数の端末局２を固定設置してあり、これら基地局１と端末局２との間で無線通信をして、端末局２に接続されたＰＣ等のユーザ端末装置（図示せず）同士のデータ通信や、基地局１に接続されるバックボーン回線とのデータ通信等を、基地局１を介して行う。
【００１６】
これら基地局１と端末局２とはそれぞれ無線機機能を備えた局装置であり、これら無線機機能部分は図１に示すような構成を有している。
なお、ＦＷＡ無線通信システムでは基地局１と端末局２との間でデータを送受信するため、基地局１と端末局２とのいずれの無線機も送信側又は受信側となるが、以下では、説明を簡便にするため、基地局１を構成する無線機を送信側無線機、端末局２を構成する無線機を送信側無線機として、基地局１から端末局２へフレーム単位でデータを無線送信する場合を例にとって説明する。
【００１７】
送信側の無線機能部（無線機）は、図１に示すように、無線フレーム符号化部１１、変調部１２、送信ＲＦ部１３、共用器１４、アンテナ部１５、受信ＲＦ部１６、復調部１７、無線フレーム復号部１８、伝搬路推定部１９を有している。
なお、受信側の無線機能部（無線機）も同様な構成を有しているが、後述するように、送信側無線機から通知された変調方式に対応して復調部１７が行う復調処理の方式を変更する機能を有している。
【００１８】
上記構成の送信側無線機では、無線フレーム符号化部１１により、送信データをフレーム単位に区切り、誤り訂正符号化処理処理及びトレーニングビットやガードビットの付加処理を行って、無線区間への伝送フレームを作成する。この無線区間伝送フレームは変調部１２により所定の変調方式で変調され、送信ＲＦ部１３により無線周波数に変換され、共用器１４を介してアンテナ部１５から空間に無線送信される。
一方、当該無線機で受信を行なう場合は、アンテナ部１５より無線信号を受信し、受信した無線信号を共用器１４を介して受信ＲＦ部１６によりべ一スバンド信号に変換し、このべ一スバンド信号を復調部１７により変調方式に対応した方式で復調する。そして、この復調されたデータは無線フレーム復号部１８により、誤り訂正復号されて受信データが得られる。すなわち、受信側となる無線機では、後述するように、送信側無線機から通知された情報に応じて、復調部１７による復調方式を切替えて送信側の変調方式に対応させる処理を行う。
【００１９】
送信側無線機では、上記のようなデータ送受信処理に加えて、伝搬路推定部１９が復調部１７の出力信号から伝搬路状況を推定し、この推定結果に応じて最適な変調方式を選択して無線フレーム符号化部１１と変調部１２とに対して切替えるべき変調方式を指定する。そして、後述するように、無線フレーム符号化部１１が指定された変調方式を示す情報を含む伝送フレームを作成し、変調部１２が所定の遅延をもって変調方式を変更する。
なお、伝搬路状況を推定するパラメータとしては、一般的に、受信レベル、等化誤差、ビット誤り率等があるが、以下に説明する本例では、受信信号の受信レベルにより無線伝送路の通信状況を検出している。
【００２０】
ここで、伝搬路推定部１９は図３に示すような受信レベルに対応して変調方式と各変調方式を識別するコード情報とが予め設定されたテーブルを有しており、伝搬路推定部１９は常時又は定期的に復調部１７が検出した受信信号の受信レベル情報を受取り、図３に示すテーブルを参照して、検出された受信レベルに該当する変調方式を選択し、選択した変調方式を示すコード情報を無線フレーム符号化部１１及び変調部１２に通知する。
本例において、具体的には、受信レベルが―６０ｄＢｍ以上の場合には６４ＱＡＭ変調方式を選択してコード情報“３”を通知し、受信レベルが―６７〜―６０ｄＢｍの場合には１６ＱＡＭ変調方式を選択してコード情報“２”を通知し、受信レベルが―７５〜―６７ｄＢｍの場合にはＱＰＳＫ変調方式を選択してコード情報“１”を通知し、受信レベルが―７５ｄＢｍ以下の場合にはＢＰＳＫ変調方式を選択してコード情報“０”を通知する。すなわち、無線伝送路の通信状況が悪くなるに従って、安定した通信が得られるように変調方式を切替える。
【００２１】
図４には、本例において、基地局無線機と端末局無線機との間で無線通信されるデータ伝送用フレームフォーマットの構成を示してある。
データ伝送用フレームはタイミング同期用のトレーニングビツト（ＴＲＮ）、変調方式を示す情報（ＭＯＤＴＹＰＥ）を含む保守情報用のブロック（ＲＣＢ：Radio Contro1 B1ock）、データトラフィックを格納するブロック（ＤＴＢ：Data Traffic B1ock）、フレーム間の区切り用のガードビット（Ｇ）を含んでいる。
無線フレーム符号化部１１は、データ伝送用フレームのＭＯＤＴＹＰＥに変調方式を示すコード情報を設定して、相手局無線機に切替える変調方式を通知する。
なお、ＲＣＢは毎フレーム送信する必要はなく、数フレーム毎又は変調方式を切替える場合に送信し、他の場合は代わりにＤＴＢを送信するようにしてもよい。
【００２２】
次に、上記構成のＦＷＡ無線通信システムによる通信処理及び変調方式の切替処理について説明する。
本例に係るＦＷＡ無線通信システムは、基地局１と端末局２との間をＰ―Ｐ（Point to Point）で接続して局間のデータ通信を実現している。
図５は、Ｐ―Ｐ接続の場合における基地局１と端末局２との間の接続手順を示している。電源ＯＮでリセットした後、基地局１は同期用コードの送信を開始し、端末局２は基地局１から受信する同期用コードにより受信同期補足を開始する。そして、端末局２は受信同期が確立したら、同期用コードの送信を開始し、基地局１は端末局２から受信する同期用コードにより受信同期補足を開始する。
【００２３】
基地局１は受信同期が確立したら、データ伝送用のフレームを用いてデータの送信を開始し、端末局２はデータ伝送用フレームを受信したらデータ受信処理を行うともに、データ伝送用のフレームを用いてデータの送信を開始する。
同期用フレーム及びデータ伝送用フレームの変調方式は、初期においては予め基地局１と端末局２との間に設定された同一の変調方式を使用する。すなわち、本例では、上記の６４ＱＡＭ変調、１６ＱＡＭ、ＱＰＳＫ、ＢＰＳＫのいずれかの変調方式が初期的に使用される。
このような手順で通信を開始することで、基地局１と端末局２との間で同期が取れ、予め設定されている変調方式でデータの送受信が開始される。
【００２４】
上記のようにしてデータ通信を開始した後、適応変調により変調方式を切替える場合の処理を説明する。適応変調は伝搬路状況に応じて変調方式を切替えて通信することにより、効率の良い通信を実現するものである。
本例では、伝搬路推定部１９にて受信レベルを用いて伝搬路状況を推定しており、伝搬路推定部１９は復調部１７から入力された受信レベル情報に対応する変調方式をテーブルから選択して、当該変調方式を表すコード情報を無線フレーム符号化部１１及び変調部１２に通知する。無線フレーム符号化部１１はデータ伝送用のフレームを作成するにあたって、通知された変調方式を示すコード情報を含む無線フレームを生成する。すなわち、当該無線フレームが変調部１２、送信ＲＦ部１３、共用器１４、アンテナ部１５を介して受信側無線機に送信されることにより、当該受信側無線機に切替えられる変調方式が通知される。
【００２５】
図６には変調部１２によるフレーム毎に巡廻する変調処理手順を示し、図７には復調部１７によるフレーム毎に巡廻する復調処理手順を示してある。なお、復調部１７による復調処理は、送信側の無線機から通知された変調方式を示すコード情報に基づいて、当該変調方式に対応する復調方式に切替えて復調処理を行う。
図６に示すように、変調部１２は、フレーム処理毎に伝搬路推定部１９から通知された変調方式を示すコード情報を読取り、通知された変調方式が現在変調に使用している変調方式と異なるか否かを判定し（ステップＳ１）、異ならない場合には、送信フレームを現在設定されている方式で変調処理する（ステップＳ３）。一方、異なる場合には、変調部１２は内部の送信フレームカウンタ（TxCounter）に所定の整数値Ｎをセットするとともに送信フラグ（TxFlag）を“１”にセットして（ステップＳ２）、現在設定されている方式で変調処理する（ステップＳ３）。
【００２６】
このように１つの送信フレームを変調処理する毎に送信フラグ（TxFlag）が“１”であるかを判定し（ステップＳ４）、後述するようにリセットされて“１”でない場合には次のフレームを処理するためにステップＳ１の判定処理に移行する一方、“１”である場合には送信フレームカウンタ（TxCounter）の値を１つ減算（すなわち、Ｎ―１）する（ステップＳ５）。そして、送信フレームカウンタ（TxCounter）の値がゼロになったか否かを判定し（ステップＳ６）、“０”でない場合には次のフレームを処理するためにステップＳ１の判定処理に移行する一方、“０”である場合には先に伝送路推定部１９から通知された変調方式に切替えるとともに送信フラグ（TxFlag）を“０”にリセットして（ステップＳ７）、次のフレームを処理するためにステップＳ１の判定処理に移行する。
すなわち、伝搬路推定部１９から変調方式の切替えが通知された場合、カウンタ値Ｎで規定される数の送信フレームを変調処理した後に通知された変調方式に切替えられる。
【００２７】
一方、図７に示すように、受信側無線機では、無線フレーム復号部１８にて誤り訂正復号した後のデータ伝送用フレームから変調方式を示すコード情報が分離されて、当該コード情報が復調部１７に通知される。復調部１７は、通知された変調方式を示すコード情報により特定される変調方式が現在復調に使用している復調方式に対応する変調方式と異なるか否かを判定し（ステップＳ１１）、異ならない場合には、受信フレームを現在設定されている方式で復調処理する（ステップＳ１３）。一方、異なる場合には、復調部１７は内部の受信フレームカウンタ（RxCounter）に所定の整数値Ｍをセットするとともに受信フラグ（RxFlag）を“１”にセットして（ステップＳ１２）、現在設定されている方式で復調処理する（ステップＳ１３）。
【００２８】
このように１つの受信フレームを復調処理する毎に受信フラグ（RxFlag）が“１”であるかを判定し（ステップＳ１４）、後述するようにリセットされて“１”でない場合には次の受信フレームを処理するためにステップＳ１１の判定処理に移行する一方、“１”である場合には受信フレームカウンタ（RxCounter）の値を１つ減算（すなわち、Ｍ―１）する（ステップＳ１５）。そして、受信フレームカウンタ（RxCounter）の値がゼロになったか否かを判定し（ステップＳ１６）、“０”でない場合には次のフレームを処理するためにステップＳ１１の判定処理に移行する一方、“０”である場合には先に無線フレーム復号部１８から通知された変調方式に対応する復調方式に切替えるとともに受信フラグ（RxFlag）を“０”にリセットして（ステップＳ１７）、次のフレームを処理するためにステップＳ１１の判定処理に移行する。
すなわち、無線フレーム復号部１８から変調方式の切替えが通知された場合（すなわち、当該通知情報を含むフレームを受信した場合）、カウンタ値Ｍで規定される数の受信フレームを不復調処理した後に通知された変調方式に対応する復調方式に切替えられる。
【００２９】
ここで、上記送信フレームカウンタ（TxCounter）の値Ｎと、受信フレームカウンタ（RxCounter）の値Ｍとは、理論的にはフレーム同期を取るために同一の値に設定されるが、一般的には、Ｎの値はフレーム周期、無線機が変調及び復調の方式切替に要する時間、無線通信システムにおける各種制卸の切替に要する時間等を考慮して決定され、Ｍの値は無線機の処理遅延等を考慮して決定され、変調方式と復調方式との切替えについてフレーム同期がとれるようにすればよい。
なお、上記の伝搬路推定部１９においては、受信レベルの変動を吸収するため、必要に応じて受信レベルの時間平均値などを使用して変調方式を選択するようにしてもよい。また、伝搬路推定部１９は無線フレーム復号部１８の誤り訂正復号の結果を用いて伝搬路推定を行なうよう構成することも可能である。また、基地局１と端末局２との間がＰ―Ｐ接続する場合を説明したが、本発明は送信側無線機と受信側無線機との間でＰ―ＭＰ（Point to MultiPoint）接続する場合にも適用可能である。
【００３０】
上記のように、本発明によれば、次のような効果が得られる。無線機は通信開始時には、無線局間で予め決められた変調方式で通信を開始するので、無線局間で変調方式を通知しなくても容易に同期引き込みを行なうことができる。このため、例えば、低速の伝送速度に対応する変調方式で通信を開始すれば、伝搬路状況が悪い場合においても無線局間の同期引き込みを容易に行うことができる。そして、無線局間の同期確立後は、伝搬路状況に対応した変調方式に切替えるので、無線局は伝搬路状況に適した伝送速度で通信することができる。更に、ＦＷＡでは、長時間にわたって安定した伝搬路状況が期待できるため、変調方式の変更を対応する無線機に通知する場合、方式を変更するフレームの送信に先立つフレームで通知すれば十分であり、これにより、無線機においては高速な切替処理が不要になり、経済的な無線通信システムが実現される。また、帯域変化に対応する処理を実行する時間的な余裕も生まれるため、無線通信システムにおけるルーテイング経路やＱｏＳ制御なども無線区間帯域の変化に間に合うように切替でき、パケットロス回避に有効である。
【図面の簡単な説明】
【００３１】
【図１】本発明の一実施形態に係る無線機の構成を示す図である。
【図２】本発明の一実施形態に係るＦＷＡ無線通信システムの構成を示す図である。
【図３】本発明の一実施形態に係る対応テーブルを説明する図である。
【図４】本発明の一実施形態に係るフレームフォーマットの構成を示す図である。
【図５】本発明の一実施形態に係る接続処理を説明する図である。
【図６】本発明の一実施形態に係る変調処理を説明する図である。
【図７】本発明の一実施形態に係る復調処理を説明する図である。
【図８】フレームフォーマットの一構成例を示す図である。
【符号の説明】
【００３２】
１：基地局、  ２：端末局、
１１：無線フレーム符号化部、  １２：変調部、
１３：送信ＲＦ部、  １４：共用器、
１５：アンテナ部、  １６：受信ＲＦ部、
１７：復調部、  １８：無線フレーム復号部、
１９：伝搬路推定部、
【図１】
2005198123.tif 000003
【図２】
2005198123.tif 000004
【図３】
2005198123.tif 000005
【図４】
2005198123.tif 000006
【図５】
2005198123.tif 000007
【図６】
2005198123.tif 000008
【図７】
2005198123.tif 000009
【図８】
2005198123.tif 000010